(57)【特許請求の範囲】
【請求項１】
適宜の台に水平方向に移動可能に挿通したタイバーと、該タイバーの両端部に直立して固定された前板及び後板と、該前板と該後板との間に前記タイバーの上方において配設され、かつ前記タイバーにスライドカラーを介してスライド可能に挿通された一対のプラテンと、前記台に設けられて前記両プラテンを互いに水平方向へ等距離で所定パーティングラインに対し近接離反する方向に移動し保持させるパーティングライン保持機構と、前記後板に臨んだ前記プラテン対の一方の後方プラテンと前記後板とを連結する型締駆動手段とを有した中空成形機において、
前記型締駆動手段における前記後板と前記後方プラテンとの連結点を結ぶ水平延長線上にて、前記プラテン対の他方の前方プラテンの前記前板に臨む面にブラケットを設けるとともに前記前板にデーライト調節ネジを螺設し、かつ該デーライト調節ネジを前記ブラケットに回動可能に軸着して、前記デーライト調節ネジの移動に従って前記前方プラテンを前記前板に対し進退動させてなるデーライト調節機構を有し、かつ前記前方プラテンの進退動に追従して前記パーティングライン保持機構を応動させたことを特徴とする中空成形機。
【請求項２】
前記前板に主尺及び副尺のいずれか一方を固定し、前記前板に臨んだ前記前方プラテンに主尺及び副尺のいずれか他方を固定したことを特徴とする請求項１記載の中空成型機。
【請求項３】
前記パーティングライン保持機構が、前記前方プラテン及び前記後方プラテンにブラケットを各々設け、それらのブラケットに一端を固定して水平方向に延びるラック板又はラック棒を併設し、それらのラック板又はラック棒の間に前記台に回転自在に軸支したピニオンを介在させてなることを特徴とする請求項１または２記載の中空成形機。
【発明の詳細な説明】
【０００１】
【発明の属する技術分野】
この発明は中空成形機に関し、とりわけ、半割型の金型厚さが異なる場合でも、デーライト調節機構を有してパーティングラインの変位を生じることなしに型締装置としての作動に影響がなく、高品質の成型品を得ることができるようにしたものである。
【０００２】
【従来の技術】
中空成形機は、押出機から供給されるパリソンを金型内に収納してパリソン内にエアを吹き込むことにより、金型の内面に刻設されたキャビティの形状に沿う樹脂成形品を得るものであるが、この金型は一対の所謂半割型を対面して向き合わせ、パリソンを半割型で咬持し、該半割型を型締装置にて互いに固く締め付けることにより、キャビティを密閉する。
【０００３】
この種の型締装置につき、出願人は特願平５−１７９５４２号（特開平７−３２３６６号）をもって特許出願（平成５年７月２１日）した。この公開発明によれば、図５に示すように、適宜の台３０に水平方向に移動可能に挿通した一対のタイバー３３，３４と、該タイバー３３，３４の両端部に直交して軸着部３８，３９によって軸支した所定長さの直立前板３６と直立後板３７と、前板３６の上端部にブラケット３６ｂを介し回動可能に軸着したプラテン４０と、該プラテン４０に対面して前記タイバー３３，３４に軸方向へ移動可能に係合したプラテン４５と、前記台３０に設けられて前記両プラテン４０，４５を互いに等距離で所定のパーティングラインＰ．Ｌに移動し保持させる保持機構５２と、前記対面するプラテン４０，４５と他方の後板３７の上端部間において前記タイバー３３，３４に移動可能に係合する型締駆動手段５６と、前板３６及び後板３７の下端部間を連結するタイバー３５とからなる型締装置が提供されている。
【０００４】
前記駆動手段は、電動モーター６９により回転するディスク５５とこれに直径方向で相対向して回動可能に連結した一対のリンクアーム５４，６１を有するスライドブロック５７をタイバー３３，３４に軸方向へ移動可能に係合させるとともに、一方のリンクアーム５４を前記タイバー３３，３４に軸方向へ移動可能に係合した半割りの金型４４の背部に回動自在に連結し、他方のリンクアーム６１を一方の後板３７側へ延伸してシャフト６５を連結し、前記後板３７にこのシャフト６５を嵌挿したブッシュ６８が押圧可能な皿ばね６７を収納したシリンダ６６を固定してなる。
【０００５】
パーティングライン保持機構５２は、金型４１，４４を固定するプラテン４０，４５をタイバー３３，３４に沿って移動させるスライドカラー４２，４６に、それぞれブラケット１１，４８を介してラック板（又は棒）４９，５０が水平方向へ延伸して設けられ、これらのラック板４９，５０はそれぞれ可動台３２に回転自在に軸支されたピニオン５１に対面して噛合している。したがって、ピニオン５１が回転すると、ラック板４９，５０はそれぞれ等長にて左右方向へ移動し、よってプラテン４０，４５が互いにそれらの中央部にあるパーティングラインＰ．Ｌに向けて移動する。
【０００６】
なお、図５中に記載した符号で上記に引用されていないものについては、後述する本発明の実施の形態の説明の項及び前記公開公報を参照されたい。
【０００７】
【発明が解決しようとする課題】
しかしながら、上記従来例によれば、金型４１，４４の厚寸法Ｔの異なる金型４１ａ，４４ａを用いようとした場合には、型締駆動手段５６の作動ストローク又はリンクアーム５４，６１の長さを変更しなければならない。作動ストロークで調節する場合、リンクアームの角度によって型締力が変わるため、必要な型締力が得られない。したがって、型厚調整範囲は微小のものしか使用できない。また、リンクアームの長さで調節する場合は、客先での交換作業に時間がかかり現実的ではない。
【０００８】
そこで、この発明は上記事情に鑑みて、厚さ寸法が異なる金型でも簡単な調節操作によってパーティングラインが変位することなく直ちに使用することができる汎用性を備えた中空成形機を提供する。
【０００９】
【課題を解決するための手段】
この発明にかかる中空成形機は、請求項１によれば、適宜の台に水平方向に移動可能に挿通したタイバーと、該タイバーの両端部に直立して固定された前板及び後板と、前記前板と該後板との間に前記タイバーの上方において配設され、かつ前記タイバーにスライドカラーを介してスライド可能に挿通された一対のプラテンと、前記台に設けられて前記両プラテンを互いに水平方向へ等距離で所定パーティングラインに対し近接離反する方向に移動し保持させるパーティングライン保持機構と、前記後板に臨んだ前記プラテン対の一方の後方プラテンと前記後板とを連結する型締駆動手段とを有した中空成形機において、前記型締駆動手段における前記後板と前記後方プラテンとの連結点を結ぶ水平延長線上にて、前記プラテン対の他方の前方プラテンの前記前板に臨む面にブラケットを設けるとともに前記前板にデーライト調節ネジを螺設し、かつ該デーライト調節ネジを前記ブラケットに回動可能に軸着して、前記デーライト調節ネジの移動に従って前記前方プラテンを前記前板に対し進退動させてなるデーライト調節機構を有し、かつ前記前方プラテンの進退動に追従して前記パーティングライン保持機構を応動させたことを特徴とする。
【００１０】
また、請求項２によれば、前記前板に主尺及び副尺のいずれか一方を固定し、前記前板に臨んだ前記前方プラテンに主尺及び副尺のいずれか他方を固定したことを特徴とする。
【００１１】
さらに、請求項３によれば、前記パーティングライン保持機構が、前記前方プラテン及び前記後方プラテンにブラケットを各々設け、それらのブラケットに一端を固定して水平方向に延びるラック板又はラック棒を併設し、それらのラック板又はラック棒の間に前記台に回転自在に軸支したピニオンを介在させてなることを特徴とする。
【００１２】
したがって、金型の厚寸法に対応したデーライト量すなわち最小の型閉め距離および最大の型開きの距離を、前デーライト調節ナット及び後デーライト調節ナットを回して、デーライト調節ネジをその軸方向左右へ前板から進退させることにより調節することができる。しかもデーライト調節ネジの進退動に追従させているパーティングライン保持機構を応動させることができるので、パーティングラインが変動することなくデーライト調節が容易にできる。かくして、一基の型締装置でそのデーライト調節機構を調節するだけの操作で厚寸法の異なる同じ肉厚同士の金型を使用することができる。
【００１３】
【発明の実施の形態】
以下この発明を図に基づき説明する。図１及び図２に示すように、本体ベース１に固定設置したスライドベース３０の上面に、左右一対の離間したガイドレール３１，３１を敷設し、このガイドレール３１，３１に可動台３２を図の奥行き方向へ摺動可能に載設し、この可動台３２にタイバー３３，３４，３５を逆三角形の配置にて直交方向へ挿通して水平に支持し、これらのタイバー３３，３４，３５の両端部には前板３６と後板３７とを直立させて連結してある。
【００１４】
前板３６とプラテン４０との間にはデーライト調節機構１２５が設けられる。このデーライト調節機構１２５は、前板３６の上端部にピン１２７で固定されたスリーブ１２８を介してブッシュ１２９内を摺動移動できるデーライト調節ネジ１２６を挿通し、デーライト調節ネジ１２６の先端は軸３６ａを介してブラケット３６ｂに連結してある。デーライト調節ネジ１２６は後デーライト調節ナット１３０及び前デーライト調節ナット１３１が前板３６を挟んでネジ嵌合している。ブラケット３６ｂにはプラテン４０を介して金型４１を支持し、プラテン４０にはスライドカラー４２，４３を連結し、スライドカラー４２，４３をタイバー３３，３４に挿通してある。また、タイバー３３，３４，３５には金型４１に対面する金型４４を保持したプラテン４５と連結したスライドカラー４６，４７，１４が挿通している。
【００１５】
そして、前記スライドカラー４２，４６にはそれぞれブラケット１１，４８を介してラック板（又は棒）４９，５０が水平方向へ延伸して設けられ、これらのラック板４９，５０はそれぞれ可動台３２に回転自在に軸支されたピニオン５１に対面して噛合している。したがって、ピニオン５１が回転すると、ラック板４９，５０はそれぞれ等長にて水平方向の逆方向へ移動し、よってプラテン４０，５０が互いにそれらの中央部にあるパーティングラインＰ．Ｌに向けて移動するためのパーティングライン保持機構５２が従来同様の構造で構成されている。
【００１６】
さらに、金型４４のプラテン４５にはブラケット５３が連結され、このブラケット５３には軸５３ａを介してリンクアーム５４の一端部が回動可能に連結され、このリンクアーム５４の他端部はディスク５５にその周縁部に設けた軸５５ａを介し回動可能に連結されて、型締駆動手段５６が構成される。この型締駆動手段５６は、回転運動を直線運動に変換して用いるリンク機構である。
【００１７】
ディスク５５はスライドブロック５７に軸５８を中心として回転自在に支承され、スライドブロック５７はタイバー３３，３４にそれぞれ嵌挿したスライドカラー５９，６０に直立して連結されている。スライドカラー４２，４３，４６，４７，５９，６０はタイバー３３，３４に沿って摺動移動可能であり、タイバー３３，３４に摺接して転動するボールベアリングが収納されている。したがって、金型４１，４４及びスライドブロック５７はタイバー３３，３４に沿って水平方向へ往復移動可能である。
【００１８】
上記ディスク５５の駆動軸５８には、図２に示すように、電動モーター６９の出力軸７０がカップリング７１を介して連結されている。電動モーター６９はサーボモーターなどの回転制御が容易なものであり、可動台３２の上面に設けたスライドレール７２に摺動可能に載設された移動ブロック７３に固定されている。移動ブロック７３はスライドブロック５７とともに水平方向へ移動する。なお、カップリング７１を等速ジョイント等に変更して電動モータ６９を固定することも可能である。
【００１９】
そして、前記ディスク５５には軸５５ａと直径方向で相対向する軸５５ｂを介してリンクアーム６１の一端部が回動可能に連結され、このリンクアーム６１には型締力発生機構６２が設けられる。型締力発生機構６２は、リンクアーム６１の他端部にブラケット６４を軸６４ａを介して回動可能に連結し、ブラケット６４にシャフト６５を連結し、シャフト６５は後板３７の上端部に設けたシリンダ６６に軸方向移動可能に挿入され、シリンダ６６内にはシャフト６５を貫通させた複数枚の皿ばね６７を収納してなる。皿ばね６７は互いに圧縮可能に凹面を向き合わせて配置され、この皿ばね６７と一端部が接触するブッシュ６８の他端部がブラケット６３と接触可能にシャフト６５に嵌挿されている。型締力発生機構６２のシャフト６５の軸線と、型締駆動手段５６の後板３７言い換えればシャフト６５との連結点である軸６４ａの軸心と、型締駆動手段５６のディスク駆動軸５８の軸心と、型締駆動手段５６のプラテン４５との連結点である軸５３ａの軸心と、デーライト調節機構１２５のプラテン４０との連結点である軸３６ａの軸心と、デーライト調節機構１２５のデーライト調節ネジ１２６の軸線とは、同一水平延長線上に設置されている。
【００２０】
次に上記実施例の作用につき説明すると、金型４１，４４の厚方向Ｔに対応したデーライト量を、前板３６の上端部に設けたデーライト調節ネジ１２６により行う。後デーライト調節ナット１３０を右に回すとデーライト調節ネジ１２６は、図１においてパーティングラインＰ．Ｌに向けて近接する方向に軸線移動し、前デーライト調節ナット１３１を右に回すとデーライト調節ネジ１２６は図１においてパーティングラインＰ．Ｌから離反する方向に軸線移動して、軸３６ａを介してブラケット３６ｂが取り付けられたプラテン４０が移動する。したがって、デーライト調節ネジ１２６を動かすと、プラテン４０，４５が互いにそれら中央部にあるパーティングラインＰ．Ｌに対し等長にて図１において近接離反方向へ移動する。プラテン４０が所定の位置に達すると、後デーライト調節ナット１３０はボルト１３２で前板３６に固定される。前デーライト調節ナット１３１はボルト１３３で、デーライト調節ネジ１２６の回り止めとする。デーライト間隔調節量は、プラテン４０に固定された主尺１３４と前板３６に固定された副尺１３５により、小数点１桁の精度で測定できる。
【００２１】
すなわち、図４（Ａ）に示すように、厚寸法Ｔの金型４１，４４をプラテン４０，４５にそれぞれ装着した型締装置に、図４（Ｂ）に示すように、厚寸法ｔ（ｔ＞Ｔ）に変更するとき、前デーライト調節ナット１３１及び後デーライト調節ナット１３０を介してデーライト調節ネジ１２６を前板３６の外側へ主尺１３４及び副尺１３５で所要量を設定して延出させてもパーティングラインＰ．Ｌの変位を来すことなく、両者は同一の線を共有できるのである。これは、プラテン４０の進退動に追従してパーティングライン保持機構５２が応動し、ラック板（又は棒）４９及びラック板（又は棒）５０を相互に水平方向逆方向に移動させて、プラテン４０及びプラテン４５を、パーティングラインＰ．Ｌを中心にして互いに近接離反方向に等距離移動させるからである。
【００２２】
パーティングラインＰ．Ｌに垂下するパリソンを金型４１，４４内に収納するために、図１に示す状態において、電動モーター６９を制御回転させると、出力軸７０と直結された駆動軸５８が回転してディスク５５が回転し、一対のリンクアーム５４，６１が直径方向で相対向して同一水平線上に整列するまでの動きにより、前板３６及び後板３７が図の左方へ移動し、スライドカラー４６，４７を介し金型４４を保持したプラテン４５が図の右方へ移動する。
【００２３】
プラテン４５の右方への移動と、前板３６の左方への移動により、一対のラック板４９，５０が互いに右方及び左方へ移動してピニオン５１が回転し、金型４１，４４の移動が等しく規制され、パーティングラインＰ．Ｌに対して金型４１，４４は等距離で移動しながら接近し、これにより、図３に示す状態になる。
【００２４】
金型４１，４４がパーティングラインＰ．Ｌで互いに接触し始めると、パリソンが金型４１，４４のキャビティ内に収納されるとともに、スライドカラー５９，６０を介しスライドブロック５７がタイバー３３，３４を移動し、リンクアーム６１及びブラケット６４が図の左方へ押されてシャフト６５をシリンダ６６内へ押し込み、ブラケット６３をシリンダ６６の端部から離間させ、図３に示すように、シャフト６５に嵌挿したブッシュ６８が皿ばね６７を押圧してたわませることにより、型締力発生機構６２が必要型締力を発生し、そのたわませた皿ばね６７の復元力が、一直線状になった一対のリンクアーム６１，５４を介しプラテン４５をプラテン４０に押圧して型締めする。
【００２５】
金型４１，４４内で成形された成形品を取り出すために、ディスク５５を逆方向へ回転させると、リンクアーム５４がプラテン４５を図の左方へ引き、リンクアーム６１が後板３７を図の右方へ引き、パーティングライン保持機構５２を介し金型４１，４４が互いに等距離で離間することにより、図１に示す元の状態に復帰し、ブローピンに宙づりされた成形品が脱型する。
【００２６】
【発明の効果】
以上説明したこの発明によれば、パーティングライン保持機構を応動させるデーライト調節機構を設けることにより、その簡単な調節操作のみで厚寸法の異なる同じ肉厚同士の金型を一基の中空成形機に使用できるようになり、中空成形機に汎用性が備わる。
【００２７】
また、調節機構を作業者側（前面）に配置したことにより、型厚調整作業が容易にできるようになる。
【図面の簡単な説明】
【図１】この発明の実施例を示す正面図である。
【図２】この発明の実施例を示す側面図である。
【図３】この発明の実施例の作用を示す正面図である。
【図４】（Ａ）は金型の厚寸法Ｔ、（Ｂ）は金型の厚寸法ｔ、の場合のそれぞれ正面図である。
【図５】従来の型締装置を示す正面図である。
【符号の説明】
Ｐ．Ｌ…パーティングライン
３０…スライドベース
３１…ガイドレール
３２…可動台
３３，３４，３５…タイバー
３６…前板
３７…後板
４１，４４…金型
４２，４３，４６，４７…スライドカラー
４９，５０…ラック板
５１…ピニオン
５２…パーティングライン保持機構
５４，６１…リンクアーム
５５…ディスク
５６…型締駆動手段
５７…スライドブロック
６２…型締力発生機構
６５…シャフト
６６…シリンダ
６７…皿ばね
６８…ブッシュ
６９…電動モーター
１２５…デーライト調節機構
１２６…デーライト調節ネジ
１２７…ピン
１２８…スリーブ
１２９…ブッシュ
１３０…後デーライト調節ナット
１３１…前デーライト調節ナット
１３４…主尺
１３５…副尺
【図１】
0003914632.tif 000002
【図２】
0003914632.tif 000003
【図３】
0003914632.tif 000004
【図４】
0003914632.tif 000005
【図５】
0003914632.tif 000006